(57)【要約】【課題】２つのアンテナの位置関係を柔軟に設定する。【解決手段】無線電波を受信する無線受信機器１は、本体１０と、本体１０に回動可能に取り付けられ、本体１０を支持するスタンド２と、スタンド２に設けられた第１アンテナ１１，１１と、本体１０に対して回動可能に取り付けられた第２アンテナ１２，１２と、本体１０に対するスタンド２の回動角度に応じて、第２アンテナ１２，１２を回動させて、第１アンテナ１１，１１と第２アンテナ１２，１２の角度を設定するアンテナ角度設定部４とを備えている。【選択図】図１
2010187170.tif 000002
【特許請求の範囲】
【請求項１】
無線電波を受信する無線受信機器であって、
本体と、
該本体に回動可能に取り付けられ、該本体を支持するスタンドと、
前記スタンドに設けられた第１アンテナと、
前記本体に対して回動可能に取り付けられた第２アンテナと、
前記本体に対する前記スタンドの回動角度に応じて、前記第２アンテナを回動させて、前記第１アンテナと該第２アンテナの回動角度を設定するアンテナ角度設定部とを備える無線受信機器。
【請求項２】
請求項１に記載の無線受信機器において、
前記スタンドは、前記本体に収まった収納状態と、該収納状態から回動して該本体を支持する支持状態との間で回動するように構成されており、
前記アンテナ角度設定部は、前記スタンドが前記支持状態となったときに、前記第１アンテナと前記第２アンテナとが垂直となるように、前記第１アンテナと前記第２アンテナの回動角度を設定する無線受信機器。
【請求項３】
請求項１に記載の無線受信機器において、
前記スタンドは、前記本体に収まった収納状態と、該収納状態から回動して該本体を支持する支持状態との間で回動するように構成されており、
前記アンテナ角度設定部は、前記スタンドが前記支持状態となったときに、前記第２アンテナが、該本体と該スタンドとが設置される設置面と平行となるように、前記第１アンテナと前記第２アンテナの回動角度を設定する無線受信機器。
【請求項４】
請求項１乃至３の何れか１つに記載の無線受信機器において、
前記第１及び第２アンテナは、前記スタンドが前記収納状態となったときに、前記本体と平行になるように構成されている無線受信機器。
【請求項５】
請求項１乃至４の何れか１つに記載の無線受信機器において、
前記アンテナ角度設定部は、前記スタンドが前記収納状態から所定の第１角度だけ回動するまでは、前記第１アンテナと前記第２アンテナとの連結が解除されており、前記スタンドが該収納状態から該第１角度以上回動するときに、該第２アンテナを該第１アンテナに連動して回動させて、該第１アンテナと該第２アンテナとの回動角度を設定する無線受信機器。
【請求項６】
請求項１乃至４の何れか１つに記載の無線受信機器において、
前記アンテナ角度設定部は、前記スタンドと共に回動する第１ギアと、前記第２アンテナと共に回動する第２ギアとを有し、
前記第１ギアと前記第２ギアとは、直接または少なくとも１つの連結ギアを介して連結され、
前記第１ギアと前記第２ギアとのギア比は、前記第１アンテナの回動角度と前記第２アンテナの回動角度が異なるように設定されている無線受信機器。
【請求項７】
請求項６に記載の無線受信機器において、
前記第１ギアと前記第２ギアとは、前記スタンドが前記収納状態から所定の第１角度だけ回動するまでは噛合せず、前記スタンドが該収納状態から該第１角度以上回動するときに、互いに噛合する無線受信機器。
【請求項８】
請求項１乃至４の何れか１つに記載の無線受信機器において、
前記アンテナ角度設定部は、前記スタンドと共に回動する第１プーリと、前記第２アンテナと共に回動する第２プーリとを有し、
前記第１プーリと前記第２プーリとは、直接または少なくとも１つのプーリを介してベルトで連結され、
前記第１プーリと前記第２プーリとの回転比は、前記第１アンテナの回動角度と前記第２アンテナの回動角度とが異なるように設定されている無線受信機器。
【発明の詳細な説明】
【技術分野】
【０００１】
本発明は、複数本のアンテナを備えて、空中を伝搬する電波を受信する無線受信機器に関するものである。
【背景技術】
【０００２】
近年、携帯電話や地上デジタル放送の技術開発が進み、有線で接続することなく、無線電波を用いて、データや音声、テレビ放送などを受信する無線受信機器が普及している。無線電波は、アンテナを用いて電気信号に変換され、機器内で増幅、復調、信号処理され、複号される。
【０００３】
無線電波を感度よく受信するための技術として、ダイバーシティ受信が挙げられる。無線通信では、マルチパスなどの影響によりフェージングが生じ、位置、時間、周波数などが異なると、電界強度が異なり、結果として受信感度が低下する。ダイバーシティ受信は、複数のアンテナを用いて受信することで、フェージングによる受信感度劣化を改善することが可能となる。ダイバーシティ受信の方式にはいくつかあり、複数のアンテナを設置し、受信した信号電力が大きい方を選択し、信号電力が小さい方を破棄するアンテナ選択方式や、複数のアンテナで受信し、各アンテナの受信信号の位相を合わせて合成する最大比合成方式などがある。
【０００４】
複数のアンテナを備えて、ダイバーシティ受信を行う無線受信機器として、特許文献１に開示されたものが知られている。この無線受信機器は、本体の背面に回動可能なＬ字状のスタンドが設けられ、第１アンテナを該スタンド内に設け、第２アンテナを本体に内蔵している。そして、スタンドを開くと、第１アンテナと第２アンテナとの距離が離れ、それぞれの位置での電界強度が異なるようになる。各アンテナは、例えば電界強度が強い方のアンテナを選択し、電界強度の弱い方のアンテナの出力を破棄する、又は、第１、第２アンテナで受信した信号を位相を合わせて合成する、などの処理を行うことで、フェージングによる影響を低減することが可能となる。
【特許文献１】特開２００６−１２１３８２号公報
【発明の開示】
【発明が解決しようとする課題】
【０００５】
しかしながら、特許文献１の構成では、スタンドのアンテナと内蔵アンテナを用いたダイバーシティ受信であり、内部の回路から発生する雑音対策として、筐体を金属樹脂などで構成した場合、内蔵アンテナがアンテナとして機能しなくなる。
【０００６】
また、一方のアンテナを本体に内蔵している場合、２つのアンテナの位置関係は、スタンドと本体との位置関係に拘束される。つまり、本体をスタンドで支持する場合、本体の傾斜角度は概ね決まっている。例えば、テレビ放送を受信して表示する無線受信機器の場合、本体は、ユーザが該本体の表示部を見やすい程度の傾斜角度で支持されるように設定されている。このように、２つのアンテナの位置関係は、スタンドと本体との回動に拘束されると共に、その回動角度に限界があるため、２つのアンテナの位置関係を柔軟に設定することができない。
【０００７】
本発明は、かかる点に鑑みてなされたものであり、その目的とするところは、２つのアンテナの位置関係を柔軟に設定することにある。
【課題を解決するための手段】
【０００８】
本発明は、無線電波を受信する無線受信機器が対象である。そして、本体と、該本体に回動可能に取り付けられ、該本体を支持するスタンドと、前記スタンドに設けられた第１アンテナと、前記本体に対して回動可能に取り付けられた第２アンテナと、前記本体に対する前記スタンドの回動角度に応じて、前記第２アンテナを回動させて、前記第１アンテナと該第２アンテナの回動角度を設定するアンテナ角度設定部とを備えるものとする。
【０００９】
前記スタンドは、前記本体に収まった収納状態と、該収納状態から回動して該本体を支持する支持状態との間で回動するように構成されており、前記アンテナ角度設定部は、前記スタンドが前記支持状態となったときに、前記第１アンテナと前記第２アンテナとが垂直となるように、前記第１アンテナと前記第２アンテナの回動角度を設定するようにしてもよい。
【００１０】
前記スタンドは、前記本体に収まった収納状態と、該収納状態から回動して該本体を支持する支持状態との間で回動するように構成されており、前記アンテナ角度設定部は、前記スタンドが前記支持状態となったときに、前記第２アンテナが、該本体と該スタンドとが設置される設置面と平行となるように、前記第１アンテナと前記第２アンテナの回動角度を設定するようにしてもよい。
【００１１】
前記第１及び第２アンテナは、前記スタンドが前記収納状態となったときに、前記本体と平行になるように構成されているようにしてもよい。
【００１２】
前記アンテナ角度設定部は、前記スタンドが前記収納状態から所定の第１角度だけ回動するまでは、前記第１アンテナと前記第２アンテナとの連結が解除されており、前記スタンドが該収納状態から該第１角度以上回動するときに、該第２アンテナを該第１アンテナに連動して回動させて、該第１アンテナと該第２アンテナとの回動角度を設定するようにしてもよい。
【００１３】
前記アンテナ角度設定部は、前記スタンドと共に回動する第１ギアと、前記第２アンテナと共に回動する第２ギアとを有し、前記第１ギアと前記第２ギアとは、直接または少なくとも１つの連結ギアを介して連結され、前記第１ギアと前記第２ギアとのギア比は、前記第１アンテナの回動角度と前記第２アンテナの回動角度が異なるように設定されているようにしてもよい。
【００１４】
前記第１ギアと前記第２ギアとは、前記スタンドが前記収納状態から所定の第１角度だけ回動するまでは噛合せず、前記スタンドが該収納状態から該第１角度以上回動するときに、互いに噛合するようにしてもよい。
【００１５】
前記アンテナ角度設定部は、前記スタンドと共に回動する第１プーリと、前記第２アンテナと共に回動する第２プーリとを有し、前記第１プーリと前記第２プーリとは、直接または少なくとも１つのプーリを介してベルトで連結され、前記第１プーリと前記第２プーリとの回転比は、前記第１アンテナの回動角度と前記第２アンテナの回動角度とが異なるように設定されているようにしてもよい。
【発明の効果】
【００１６】
第１アンテナをスタンドに設けると共に、第２アンテナを本体に対して回動可能に設け、第２アンテナを第１アンテナの回動角度に応じて回動させることによって、スタンドと本体との位置関係に拘束されず、第１アンテナと第２アンテナとの位置関係を柔軟且つ簡単に設定することができる。
【発明を実施するための最良の形態】
【００１７】
以下、本発明の実施形態を図面に基づいて詳細に説明する。
【００１８】
《発明の実施形態１》
本発明の実施形態に係る無線受信機器について、図１〜５を参照しながら説明する。図１は、本発明の実施形態に係る無線受信機器の斜視図であって、後述するスタンドが支持状態のときを示し、図２は、スタンドが収納状態のときの無線受信機器の斜視図であり、図３は、スタンドが支持状態のときの無線受信機器を示す図であって、（Ａ）が側面図で、（Ｂ）が平面図であり、図４は、後述する第１アンテナと第２アンテナとの連結構造を示す説明図であり、図５は、スタンドが支持状態のときに第２アンテナが水平となる無線受信機器を示す図であって、（Ａ）が側面図で、（Ｂ）が平面図である。
【００１９】
無線受信機器１は、本体１０と、該本体１０に取り付けられたスタンド２と、該スタンド２に内蔵された第１アンテナ１１，１１と、該本体１０に取り付けられたプレート３と、該プレート３内に内蔵された第２アンテナ１２，１２と、該第１アンテナ１１，１１と該第２アンテナ１２，１２との角度を設定するアンテナ角度設定部４とを備える。無線受信機器１は、例えば、データや音声、テレビ放送などの無線電波を受信する携帯電話機やテレビジョン受信機等である。
【００２０】
本体１０は、扁平な直方体形状をしており、筐体に覆われている。この筐体は、金属製であってもよい。この本体１０内には、受信回路や制御回路が内蔵されている。
【００２１】
スタンド２は、本体１０の背面に取り付けられる２本の主脚２１，２１と、該２本の主脚２１，２１を連結する連結部２２とを有している。これら主脚２１，２１及び連結部２２は、平面視長方形の板状の部材である。２本の主脚２１，２１は互いに平行に配置されている。連結部２２は、主脚２１，２１に対して直交した状態で該主脚２１，２１に連結されている。こうして構成されたスタンド２は、概略Ｈ形状をしている。そして、各主脚２１は、本体１０の背面に回動可能に取り付けられている。詳しくは、主脚２１は、その基端部が、本体１０の背面における上側の角部近傍において該本体１０に対して回動可能に取り付けられている。
【００２２】
このスタンド２は、収納状態においては、本体１０の背面に重なって収まった状態となる。詳しくは、収納状態においては、スタンド２の主脚２１，２１及び連結部２２の厚み方向と、本体１０の厚み方向とが同じ方向を向くように、スタンド２と本体１０とが重なる。尚、本実施形態では、スタンド２は、本体１０の背面から突出しているが、本体１０の背面にスタンド２が収納される凹部を形成して、収納状態においては、スタンド２が本体１０の背面と面一となるように該凹部に収納される構成であってもよい。
【００２３】
第１アンテナ１１，１１はそれぞれ、スタンド２の主脚２１，２１に内蔵されている。各第１アンテナ１１は、直線状の部材であって、主脚２１に沿って延伸している。これら第１アンテナ１１，１１は、スタンド２と一体となって回動する。
【００２４】
プレート３は、平面視長方形の板状の部材であって、本体１０の背面に取り付けられている。詳しくは、プレート３は、スタンド２の一方の主脚２１の基端部と、他方の主脚２１の基端部との間に設けられており、該本体１０の背面の上辺近傍において該本体１０に対して回動可能に取り付けられている。
【００２５】
このプレート３は、スタンド２と同様に、収納状態においては、本体１０の背面に重なって収まった状態となる。詳しくは、収納状態においては、プレート３の厚み方向と、本体１０の厚み方向とが同じ方向を向くように、プレート３と本体１０とが重なる。尚、本実施形態では、プレート３は、本体１０の背面から突出しているが、本体１０の背面にプレート３が収納される凹部を形成して、収納状態においては、プレート３が本体１０の背面と面一となるように該凹部に収納される構成であってもよい。
【００２６】
第２アンテナ１２，１２は、プレート３内に内蔵されている。各第２アンテナ１２は、途中で略直角に屈曲して、概略Ｌ字形状をしている。詳しくは、プレート３の四隅のうち、本体１０に近接する隅部から本体１０から離れた位置の隅部までプレート３の短辺側面に沿って延びる基端部１２ａと、該プレート３の本体１０から離れた位置の隅部からプレート３の長辺側面に沿って延びる先端部１２ｂとを有している。このように構成された第２アンテナ１２，１２は、プレート３と一体となって回動する。
【００２７】
これら第１アンテナ１１，１１及び第２アンテナ１２，１２は、本体１０内の受信回路に電気的に接続されている。
【００２８】
アンテナ角度設定部４は、図４に示すように、スタンド２に取り付けられた第１ギア４１と、プレート３に取り付けられた第２ギア４２と、該第１ギア４１と第２ギア４２とを連結する第３ギア４３とを有している。尚、図４では、説明の便宜上、第１〜第３ギア４１〜４３を拡大して図示すると共に、スタンド２及びプレート３の図示を省略して、代わりに第１及び第２アンテナ１１，１２を図示している。
【００２９】
第１ギア４１は、スタンド２に対して回動不能に取り付けられている。つまり、スタンド２が回動すると、該スタンド２と共に回動する。また、第２ギア４２は、プレート３に対して回動不能に取り付けられている。つまり、該プレート３と共に回動する。第３ギア４３は、本体１０に対して回動可能に支持されていて、第１ギア４１及び第２ギア４２と噛合している。つまり、スタンド２（即ち、第１アンテナ１１）が回動すると、第１〜第３ギア４１〜４３を介して、プレート３（即ち、第２アンテナ１２）も連動して回動する。
【００３０】
詳しくは、スタンド２を回動させると、第１ギア４１がスタンド２と共に回動し、該第１ギア４１と噛合する第３ギア４３が、第１ギア４１に合わせて反対回りに回動し、さらに、該第３ギア４３に噛合する第２ギア４２が、第３ギア４３と反対回りに、即ち、第１ギア４１と同じ向きに回動する。その結果、第２ギア４２が取り付けられたプレート３がスタンド２と同じ向きに回動する。
【００３１】
ここで、第１ギア４１は、第２ギア４２よりも大径であって、歯数が多くなっている。つまり、スタンド２の回動は増速されてプレート３に伝達される。そのため、第１及び第２アンテナ１１，１２は、収納状態において本体１０と平行になった状態から支持状態に向かって回動していく際に、第１アンテナ１１よりも第２アンテナ１２の方が大きく回動していく。その結果、第１アンテナ１１に連動させて第２アンテナ１２を回動させる構成であっても、第１アンテナ１１と第２アンテナ１２とに角度差を生じさせることができる。詳しくは、第１ギア４１と第２ギア４２とのギア比は、スタンド２が支持状態となるべく、収納状態から所定の角度αだけ回動したときに、プレート３がスタンド２との間の角度、即ち、第１アンテナ１１と第２アンテナ１２との角度（詳しくは、スタンド２の回動軸方向を向いて第１アンテナ１１と第２アンテナ１２とを見たときの角度、又は、第１アンテナ１１と第２アンテナ１２とをスタンド２の回動軸方向に平行移動させて互いに交差させたときの両アンテナ間の角度）が９０°となる位置まで回動する値に設定されている。すなわち、第１ギア４１と第２ギア４２とのギア比をＸとすると、第１ギア４１が角度αだけ回動するときには、第２ギア４２は角度β（＝Ｘα）だけ回動する。例えば、支持状態におけるスタンド２と本体１０と角度を３０°とすると、プレート３は収納状態から１２０°回動することになる。そのときの第１ギア４１と第２ギア４２のギア比は４：１となる。
【００３２】
このように、支持状態における第１アンテナ１１と第２アンテナ１２との角度を９０°とすることによって、第１アンテナ１１と、第２アンテナ１２の基端部１２ａと、第２アンテナ１２の先端部１２ｂとが互いに垂直になる。すなわち、第１アンテナ１１と、第２アンテナ１２の基端部１２ａと、第２アンテナ１２の先端部１２ｂとがそれぞれ、直交する３軸に沿って延びることになる。その結果、無偏向の無線電波に対して、どの偏向成分に対しても何れかのアンテナが対応することができ、無線電波を高い受信効率で受信することができる。
【００３３】
したがって、本実施形態によれば、第２アンテナ１２をプレート３を介して本体１０に回動可能に取り付けることによって、スタンド２に設けられた第１アンテナ１１とは別のアンテナを設けると共に、該第１アンテナ１１と第２アンテナ１２との位置関係を、本体１０とスタンド２との位置関係に拘束されずに、柔軟に変更することができる。
【００３４】
また、支持状態において、第１アンテナ１１と第２アンテナ１２とを平行ではなく、両者の間に角度差を付けることによって、第１及び第２アンテナ１１，１２を異なる指向性を有するように配置することができる。
【００３５】
また、第２アンテナ１２を第１アンテナ１１と連動して回動するように構成することによって、２つのアンテナを設ける構成であっても、２つのアンテナの回動動作を簡易に行うことができる。
【００３６】
さらに、第１アンテナ１１と第２アンテナとの角度を設定するアンテナ角度設定部４を設けることによって、第１アンテナ１１を回動させることによって、第２アンテナ１２を最適な回動位置まで自動的に回動させることができる。また、第１アンテナ１１を回動させて収納状態とするときには、第２アンテナ１２も自動的に収納状態とすることができる。
【００３７】
さらにまた、収納状態においては、第１及び第２アンテナ１１，１２は共に、本体１０と平行に重なった状態となるため、余計な突起とならず、持ち運び時の利便性を向上させることができる。
【００３８】
また、第２アンテナ１２を、本体１０内に設けるのではなく、本体１０に対して外付けしているため、内部回路から発生する雑音対策として、本体１０の筐体を金属樹脂等で構成しても、第２アンテナ１２をアンテナとして機能させることができる。
【００３９】
尚、アンテナ角度設定部４は、第１アンテナ１１と共に回動する第１ギア４１と、第２アンテナ１２と共に回動する第２ギア４２とを、第３ギア４３を介して連結しているが、これに限られるものではない。第１ギア４１と第２ギア４２とを直接連結してもよいし、第１ギア４１と第２ギア４２とを２つ以上のギアを介在させて連結してもよい。
【００４０】
また、前記実施形態では、収納状態において、スタンド２は、基端部が上方で先端部が下方に位置する姿勢となり、プレート３も、基端部（本体１０に支持されている長辺側面）が上方で先端部（本体１０から離れた長辺側面）が下方に位置する姿勢となっているため、スタンド２（即ち、第１アンテナ１１）の回動方向とプレート３（即ち、第２アンテナ１２）の回動方向とは一致する。しかし、スタンド２とプレート３との姿勢が上下で逆になる場合、即ち、スタンド２の基端部が上方で先端部が下方に位置し、プレート３の基端部が下方で先端部が上方に位置する場合、又は、スタンド２の基端部が下方で先端部が上方に位置し、プレート３の基端部が上方で先端部が下方に位置する場合には、スタンド２（即ち、第１アンテナ１１）の回動方向とプレート３（即ち、第２アンテナ１２）の回動方向とが反対向きになるように、アンテナ角度設定部４のギアを組み込めばよい。
【００４１】
また、支持状態における第１及び第２アンテナ１１，１２の位置関係は前記実施形態に限られるものではない。例えば、偏波に応じて第２アンテナ１２が最適な角度となるように構成すればよい。すなわち、無線受信機器１が受信する無線電波が、テレビ放送のように水平偏向が強い電波であれば、スタンド２が支持状態まで回動したときに、第２アンテナ１２が、図５に示すように、水平に伸びる位置まで回動するように構成すればよい。詳しくは、アンテナ角度設定部４は、スタンド２が支持状態となったときに、第２アンテナ１２が、本体１０とスタンド２とが設置される設置面（即ち、本体１０の下端とスタンド２の下端（先端）とが接する平面）と平行となるように、第１ギア４１と第２ギア４２のギア比Ｘを設定している。例えば、スタンド２の基端から先端までの長さと本体１０の、スタンド２が取り付けられた部分から下端までの長さとが等しく（即ち、支持状態において、スタンド２と本体１０とが対称に開く構成であって）、支持状態におけるスタンド２と本体１０との角度が３０°の場合、第１アンテナ１１は鉛直方向から１５°だけ傾斜していることになるため、第２アンテナ１２は、第１アンテナ１１との間の角度が７５°となるように、即ち、本体１０から１０５°だけ回動するように、第１ギア４１と第２ギア４２のギア比Ｘを設定すればよい。この場合、第１ギア４１と第２ギア４２のギア比Ｘは、７：２となる。通常、無線受信機器１は水平な場所に置かれるため、前記のように構成することで、支持状態における第２アンテナ１２は水平方向に延びることになる。その結果、水平偏向が強い無線電波を高い受信効率で受信することができる。
【００４２】
−変形例１−
続いて、前記実施形態の変形例１に係る無線受信機器２０１ついて、図６を参照して説明する。図６は、変形例１に係る無線受信機器の、第１アンテナと第２アンテナとの連結構造を示す説明図であって、（Ａ）が平面図で、（Ｂ）が側面図である。尚、（Ａ）図においては、説明の便宜上、各ギアが噛合せずに、互いに離れた状態を図示している。
【００４３】
変形例１に係る無線受信機器２０１は、アンテナ角度設定部２０４の構成が前記実施形態に係る無線受信機器１と異なる。そこで、前記実施形態と同様の構成には同様の符号を付して説明を省略し、異なる構成を中心に説明する。
【００４４】
アンテナ角度設定部２０４は、スタンド２に取り付けられた第１ギア４１と、プレート３に取り付けられた第２ギア４２と、該第１ギア４１と第２ギア４２とを連結する連結部材２４５とを有している。
【００４５】
連結部材２４５は、第１ギア４１に噛合する第３ギア２４３と、第２ギア４２に噛合する第４ギア２４４とを有し、本体１０に回動可能に支持されている。第３ギア２４３と第４ギア２４４は、同じ回転軸で、同じ方向、同じ角度だけ回動する。
【００４６】
つまり、スタンド２を回動させると、第１ギア４１がスタンド２と共に回動し、該第１ギア４１と噛合する第３ギア２４３が、第１ギア４１に合わせて反対回りに回動し、こうして回動する第３ギア２４３と一体となって、第４ギア２４４が回動し、さらに、該第４ギア２４４に噛合する第２ギア４２が、第４ギア２４４と反対回りに、即ち、第１ギア４１と同じ向きに回動する。その結果、第２ギア４２が取り付けられたプレート３がスタンド２と同じ向きに回動する。
【００４７】
このように、第１ギア４１と第２ギア４２との間に、第３ギア２４３と第４ギア２４４とを有する連結部材２４５を介在させることによって、第１ギア４１と第２ギア４２とを同軸上に配置している。
【００４８】
ここで、第１ギア４１と第２ギア４２のギア比は、第１ギア４１と第３ギア２４３のギア比（Ａ：Ｂ）と、第４ギア２４４と第２ギア４２のギア比（Ｃ：Ｄ）から、（Ａ×Ｃ：Ｂ×Ｄ）として表される。したがって、第１アンテナ１１が角度αだけ回動すると、第２アンテナ１２は、角度β（＝α×（（Ａ×Ｃ）／（Ｂ×Ｄ）））だけ回動する。前記実施形態と同様に、受信電波の偏向に合わせて各ギア比を設定することによって、ユーザは、スタンド２を開くことで第２アンテナ１２を最適な角度に自動的に設定することができる。
【００４９】
したがって、変形例１によれば、第１ギア４１と第２ギア４２との間に、第３ギア２４３と第４ギア２４４とを有する連結部材２４５を介在させることによって、第１アンテナ１１と第２アンテナ１２の回転軸を同一にすることができる。つまり、前記実施形態では、第１ギア４１、第３ギア４３及び第２ギア４２が直列に配置されているため、第１アンテナ１１と第２アンテナ１２の回転軸がずれることになり、余計なスペースが生じる。それに対して、変形例１では、第１アンテナ１１と第２アンテナ１２の回転軸が同一となるため、スタンド２（即ち、第１アンテナ１１）とプレート３（即ち、第２アンテナ１２）とをコンパクトに配置することができる。
【００５０】
尚、この変形例１では、ギアを４個使用しているが、第１ギア４１と第２ギア４２の回転軸を同一にする構成であれば、ギアの個数は任意の数にすることができる。
【００５１】
−変形例２−
続いて、前記実施形態の変形例２に係る無線受信機器３０１について、図７を参照して説明する。図７は、無線受信機器の、第１アンテナと第２アンテナとの連結構造を示す説明図である。
【００５２】
変形例２に係る無線受信機器３０１のアンテナ角度設定部３０４は、スタンド２が収納状態から回動し始めて、しばらくの間は、プレート３が回動しない点で、前記実施形態に係るアンテナ角度設定部４と異なる。そこで、前記実施形態と同様の構成については同様の符号を付して説明を省略し、異なる構成を中心に説明する。
【００５３】
アンテナ角度設定部３０４は、スタンド２に取り付けられた第１ギア３４１と、プレート３に取り付けられた第２ギア４２と、該第１ギア４１と第２ギア４２とを連結する第３ギア４３とを有している。
【００５４】
第１ギア３４１は、その外周の一部に歯が設けられていない非連結部分３４１ａが形成されている。詳しくは、スタンド２が収納状態から所定の第１角度γだけ回動するまでの間は、第１ギア３４１と第３ギア４３との噛合が解除され、スタンド２が該第１角度γを超えて回動すると、第１ギア３４１と第３ギア４３が噛合するように、非連結部分３４１ａが形成されている。すなわち、第１ギア３４１のうち少なくとも、スタンド２が収納状態のときに第３ギア４３に最接近する部分から、スタンド２が第１角度γだけ回動したときに第３ギア４３に最接近する部分までの間には、歯が形成されておらず、非連結部分３４１ａとなっている。
【００５５】
その結果、スタンド２が収納状態のときには、スタンド２とプレート３との連結が解除されているため、スタンド２を収納状態としたまま、プレート３だけを回動させることができる。すなわち、スタンド２を支持状態としなくても、プレート３だけを手動で適切な位置に回動させて、受信効率を調節することができる。
【００５６】
一方、スタンド２を支持状態とするときには、スタンド２の回動角度が第１角度γ以上となったときから第１ギア４１と第３ギア４３が噛合して、スタンド２とプレート３とが連結されるため、プレート３、即ち、第２アンテナ１２を、前記実施形態のように、スタンド２の回動に合わせて、自動的に最適な位置まで回動させることができる。すなわち、スタンド２が支持状態となったときに、第２アンテナ１２が最適な角度に開くように、第１角度γや、第１ギア４１と第２ギア４２のギア比Ｘが設定されている。
【００５７】
尚、変形例２では、実施形態と同じギア構成に対して、非連結部分３４１ａを形成したが、変形例１に係るギア構成において、第１ギア４１、第３ギア２４３又は第４ギア２４４に非連結部分を設けてもよい。すなわち、第１アンテナ１１の回動角度が第１角度γ未満の場合に、第２アンテナ１２が第１アンテナ１１と連動しない構成であればよい。
【００５８】
−変形例３−
続いて、前記実施形態の変形例３に係る無線受信機器４０１ついて、図８を参照して説明する。図８は、変形例３に係る無線受信機器の、第１アンテナと第２アンテナとの連結構造を示す説明図であって、（Ａ）が平面図で、（Ｂ）が側面図である。
【００５９】
変形例３に係る無線受信機器４０１は、アンテナ角度設定部４０４の構成が前記実施形態に係る無線受信機器１と異なる。そこで、前記実施形態と同様の構成には同様の符号を付して説明を省略し、異なる構成を中心に説明する。
【００６０】
アンテナ角度設定部４０４は、スタンド２に取り付けられた第１プーリ４４１と、プレート３に取り付けられた第２プーリ４４２と、該第３プーリ４４３と第４プーリ４４４とが同軸上に設けられた連結部材４４５と、第１プーリ４４１と第３プーリ４４３とを連結する第１ベルト４４６と、第４プーリ４４４と第２プーリ４４２とを連結する第２ベルト４４７とを有している。第３プーリ４４３と第４プーリ４４４は、同じ回転軸で、同じ方向、同じ角度だけ回動する。
【００６１】
このように、アンテナ角度設定部４０４は、プーリとベルトを介して、第２アンテナ１２を第１アンテナ１１に連動して回動させる。つまり、スタンド２を回動させると、第１プーリ４４１がスタンド２と共に回動し、該第１プーリ４４１と第１ベルト４４６で連結された第３プーリ４４３が、第１プーリ４４１に合わせて同じ向きに回動し、こうして回動する第３プーリ４４３と一体となって、第４プーリ４４４が回動し、さらに、該第４プーリ４４４と第２ベルト４４７で連結された第２プーリ４４２が、第４プーリ４４４と同じ向きに、即ち、第１プーリ４４１と同じ向きに回動する。その結果、第２プーリ４４２が取り付けられたプレート３がスタンド２と同じ向きに回動する。
【００６２】
このように、第１プーリ４４１と第２プーリ４４２との間に、第３プーリ４４３と第４プーリ４４４とを有する連結部材４４５を介在させることによって、第１プーリ４４１と第２プーリ４４２とを同軸上に配置している。
【００６３】
ここで、第１プーリ４４１は、第２プーリ４４２よりもベルト巻付け半径が大径であって、スタンド２の回動は増速されてプレート３に伝達される。そのため、第１及び第２アンテナ１１，１２は、本体１０と平行な状態となって収納状態から支持状態に向かって回動していく際に、第１アンテナ１１よりも第２アンテナ１２の方が大きく回動していく。つまり、第１アンテナ１１に連動させて第２アンテナ１２を回動させる構成であっても、第１アンテナ１１と第２アンテナ１２とに角度差を生じさせることができる。
【００６４】
詳しくは、第１プーリ４４１と第２プーリ４４２の回転比は、第１プーリ４４１と第３プーリ４４３の回転比（Ａ：Ｂ）と、第４プーリ４４４と第２プーリ４４２の回転比（Ｃ：Ｄ）から、（Ａ×Ｃ：Ｂ×Ｄ）として表される。したがって、第１アンテナ１１が角度αだけ回動すると、第２アンテナ１２は、角度β（＝α×（（Ａ×Ｃ）／（Ｂ×Ｄ）））だけ回動する。前記実施形態と同様に、受信電波の偏向に合わせて各回転比を設定することによって、ユーザは、スタンド２を開くことで第２アンテナ１２を最適な角度に自動的に設定することができる。
【００６５】
したがって、変形例３によれば、ギア機構ではなく、プーリ及びベルトによる連結機構であっても、第２アンテナ１２を第１アンテナ１１と連動して回動させることができる。
【００６６】
また、第１アンテナ１１と第２アンテナ１２の回転軸が同一となるため、スタンド２（即ち、第１アンテナ１１）とプレート３（即ち、第２アンテナ１２）とをコンパクトに配置することができる。
【００６７】
尚、変形例３では、プーリを４個使用した構成であるが、プーリの個数は任意に設定することができる。
【００６８】
《その他の実施形態》
本発明は、前記実施形態について、以下のような構成としてもよい。
【００６９】
すなわち、前記実施形態及び変形例では、第２アンテナ１２を、ギア機構又はベルト機構を用いて第１アンテナ１１と連動させて回動させているが、これに限られるものではない。例えば、第１アンテナ１１の本体１０に対する回動角度に応じて、モータを用いて第２アンテナ１２を回動させる構成であってもよく、第１アンテナ１１と第２アンテナ１２が連動する構成であれば任意の構成を採用することができる。
【００７０】
なお、想定する受信電波の偏向は無偏向又は水平偏波としたが、どのような偏波でもよく、それに合わせて、第１アンテナ１１及び第２アンテナ１２の位置関係を設定すればよい。
【００７１】
尚、以上の実施形態は、本質的に好ましい例示であって、本発明、その適用物、あるいはその用途の範囲を制限することを意図するものではない。
【産業上の利用可能性】
【００７２】
以上説明したように、本発明は、無線電波を受信してデータやテレビ放送を受信する無線受信機器について有用である。
【図面の簡単な説明】
【００７３】
【図１】本発明の実施形態に係る無線受信機器の斜視図であって、スタンドを支持状態にしたときの状態を示す図である。
【図２】無線受信機器の斜視図であって、スタンドを収納状態にしたときの状態を示す図である。
【図３】スタンドが支持状態のときの無線受信機器を示す図であって、（Ａ）が側面図で、（Ｂ）が平面図である。
【図４】第１アンテナと第２アンテナとの連結構造を示す説明図である。
【図５】スタンドが支持状態のときに第２アンテナが水平となる無線受信機器を示す図であって、（Ａ）が側面図で、（Ｂ）が平面図である。
【図６】変形例１に係る無線受信機器の、第１アンテナと第２アンテナとの連結構造を示す説明図であって、（Ａ）が平面図で、（Ｂ）が側面図である。
【図７】変形例２に係る無線受信機器の、第１アンテナと第２アンテナとの連結構造を示す説明図である。
【図８】変形例３に係る無線受信機器の、第１アンテナと第２アンテナとの連結構造を示す説明図であって、（Ａ）が平面図で、（Ｂ）が側面図である。
【符号の説明】
【００７４】
１      無線受信機器
１０    本体
１１    第１アンテナ
１２    第２アンテナ
２      スタンド
４，２０４，３０４，４０４  アンテナ角度設定部
４１，３４１  第１ギア
４２    第２ギア
４４１  第１プーリ
４４２  第２プーリ
【図１】
2010187170.tif 000003
【図２】
2010187170.tif 000004
【図３】
2010187170.tif 000005
【図４】
2010187170.tif 000006
【図５】
2010187170.tif 000007
【図６】
2010187170.tif 000008
【図７】
2010187170.tif 000009
【図８】
2010187170.tif 000010